(57)【要約】  本発明は、記録可能型または書換可能型の光記録担体（４）上のユーザー領域（ＵＡ）内に、ユーザーデータを記録するための記録装置（１）であって、ユーザーデータが記録される前に、記録担体（４）上にＯＰＣテストデータを書き込むことによって、最適パワー較正を実行するＯＰＣ手段（３）を備えた記録装置（１）、および対応の記録方法に関するものである。ＯＰＣテストデータを書き込むために特別に確保されたＯＰＣ領域（４０）が満杯である際に、記録担体上にそれ以上のユーザーデータを書き込むことができなくなってしまうという問題を回避するために、およびより小さなＯＰＣ領域（４０）の付与を可能とするために、本発明では、ＯＰＣテストデータの書込みのために確保されたＯＰＣ領域（４０）がもはや使用不能である際、またはかかるＯＰＣ領域（４０）が記録担体（４）上に付与されていない際に、ＯＰＣテストデータを、ユーザー領域（４１、４２）内に書き込むことを提案する。
2008507073.tif 000002
【特許請求の範囲】
【請求項１】
記録可能型または書換可能型の光記録担体上のユーザー領域内に、ユーザーデータを記録するための記録装置であって、
前記記録担体上にＯＰＣテストデータを書き込むことによって、最適パワー較正手続きを実行するＯＰＣ手段を備え、
該ＯＰＣ手段が、前記ＯＰＣテストデータを、前記ユーザー領域内に書き込むようにされていることを特徴とする記録装置。
【請求項２】
前記ＯＰＣ手段は、前記ＯＰＣテストデータの書込みのために確保されたＯＰＣ領域が使用不能である際に、前記ＯＰＣテストデータを、前記ユーザー領域内に書き込むようにされていることを特徴とする請求項１記載の記録装置。
【請求項３】
前記ＯＰＣ手段は、前記確保されたＯＰＣ領域が満杯である際に、前記ＯＰＣテストデータを、前記ユーザー領域内に書き込むようにされていることを特徴とする請求項２記載の記録装置。
【請求項４】
前記ＯＰＣ手段は、前記ＯＰＣテストデータの書込みのために確保されたＯＰＣ領域が前記記録担体上に付与されていない際に、前記ＯＰＣテストデータを、前記ユーザー領域内に書き込むようにされていることを特徴とする請求項１記載の記録装置。
【請求項５】
前記ＯＰＣテストデータの書込みのために十分なスペースを有する前記ユーザー領域内の領域を、探索する探索手段をさらに備えていることを特徴とする請求項１、２または４記載の記録装置。
【請求項６】
前記探索手段は、前記ＯＰＣテストデータを書き込むため、少なくとも３つの連続するトラックを含む前記ユーザー領域内の領域を、探索するようにされていることを特徴とする請求項５記載の記録装置。
【請求項７】
前記少なくとも３つの連続するトラックのうち、１つ以上の中心側のトラックが、前記ＯＰＣテストデータを書き込むために使用され、前記少なくとも３つの連続するトラックのうち、外側のトラックが、前記ユーザー領域内の近隣トラック内にすでに記録されたユーザーデータへの損傷を防止するための、安全領域として使用されることを特徴とする請求項６記載の記録装置。
【請求項８】
前記ＯＰＣ手段が、前記安全領域内のトラックに、一切データを書き込まないことを特徴とする請求項７記載の記録装置。
【請求項９】
前記ＯＰＣテストデータを書き込むのに使用された前記ユーザー領域内の部分を、ユーザーデータの記録および／または読出しに使用不能な部分としてマーキングする、マーキング手段をさらに備えていることを特徴とする請求項１、２または４記載の記録装置。
【請求項１０】
前記マーキング手段が、前記ＯＰＣテストデータを書き込むのに使用された前記ユーザー領域内の前記部分を、不具合のある部分としてマーキングするようにされていることを特徴とする請求項９記載の記録装置。
【請求項１１】
前記マーキング手段は、前記ＯＰＣテストデータを書き込むのに使用された前記ユーザー領域内の前記部分を、該部分が、他の理由のために不具合のある部分としてマーキングされている前記ユーザー領域内の部分と区別可能なようにして、不具合のある部分としてマーキングするようにされていることを特徴とする請求項１０記載の記録装置。
【請求項１２】
前記マーキング手段は、前記ＯＰＣテストデータを書き込むのに使用された前記ユーザー領域内の前記部分内に記録されたデータを、無効なデータとしてマーキングするようにされていることを特徴とする請求項９記載の記録装置。
【請求項１３】
記録可能型または書換可能型の光記録担体上のユーザー領域内に、ユーザーデータを記録する記録方法であって、
前記記録担体上にＯＰＣテストデータを書き込むことによって、最適パワー較正手続きを実行する工程であって、前記ＯＰＣテストデータが、前記ユーザー領域内に書き込まれる工程を含むことを特徴とする記録方法。
【請求項１４】
前記ＯＰＣテストデータの書込みのために確保されたＯＰＣ領域が使用不能である際に、前記ＯＰＣテストデータが、前記ユーザー領域内に書き込まれることを特徴とする請求項１３記載の記録方法。
【請求項１５】
前記ＯＰＣテストデータの書込みのために確保されたＯＰＣ領域が前記記録担体上に付与されていない際に、前記ＯＰＣテストデータが、前記ユーザー領域内に書き込まれることを特徴とする請求項１３記載の記録方法。
【請求項１６】
ユーザー領域内にユーザーデータを記録可能な記録担体であって、
最適パワー較正手続きを実行するため、当該記録担体上に書き込まれるＯＰＣテストデータを、前記ユーザー領域内に格納することを特徴とする記録担体。
【請求項１７】
コンピュータ上で実行された際に、請求項１３、１４または１５記載の方法の工程を前記コンピュータに実行させる、コンピュータプログラム手段を含むことを特徴とするコンピュータプログラム。
【発明の詳細な説明】
【技術分野】
【０００１】
本発明は、記録可能型または書換可能型の光記録担体上のユーザー領域内に、ユーザーデータを記録するための記録装置であって、ユーザーデータの記録前に、記録担体上にＯＰＣテストデータを書き込むことによって、最適パワー較正（ＯＰＣ；ｏｐｔｉｍｕｍ  ｐｏｗｅｒ  ｃａｌｉｂｒａｔｉｏｎ）を実行する手段を備える記録装置、および対応の記録方法に関するものである。本発明はまた、記録担体、および上記の記録方法をコンピュータに実装するためのコンピュータプログラムにも関するものである。
【背景技術】
【０００２】
光パワー較正（ＯＰＣ）手続きの実行のために、現行の記録可能型および書換可能型の光記録担体上に利用可能とされている領域は、限られた領域にすぎない。最良の記録データ品質を与える書込パワーを決定するためには、かかる光パワー較正（ＯＰＣ）手続きが行われなくてはならない。通常、記録担体がドライブ内にロードされるごとに、新たな較正が行われる。書換可能型の記録担体においては、以前の実行中に書き込まれたＯＰＣテストデータを消去および／または上書きすることができるので、ＯＰＣテストデータを書き込むために確保されているＯＰＣ領域のスペースが限られていることは、一般的には深刻な問題ではない。
【発明の開示】
【発明が解決しようとする課題】
【０００３】
しかしながら、記録可能型（すなわち追記型）の記録担体では、ＯＰＣ領域が満杯になり、新たなＯＰＣ手続きをもはや実行できない事態が起こり得る。この場合、たとえユーザー領域内に利用可能なスペースがまだ余っていたとしても、それ以上のユーザーデータは記録担体上に一切記録できなくなってしまう。したがって、（予め決められる）ＯＰＣ領域のサイズは、このような事態が一切生じないように、または少なくとも極めて稀にしか生じないように選択されるべきである。
【０００４】
しかしながら、たとえばポータブル・ブルー・システム（Ｐｏｒｔａｂｌｅ  Ｂｌｕｅ  ｓｙｓｔｅｍ）といったような小さな記録担体上では、スペースは限られている。この場合、ユーザーデータの記録用に可能な限り多くのスペースを付与するために、ＯＰＣ領域は、可能な限り小さく選択されることが好ましい。小さなＯＰＣ領域を選択することは、ＯＰＣ領域が小さすぎて、ＯＰＣ手続きを実行するのに利用可能なスペースがなくなるために、記録担体上にそれ以上の書込みをすることができなくなる事態の生じる確率を高めてしまう。
【０００５】
したがって、本発明の１つの目的は、この問題を克服するような記録装置、および対応の記録方法を提供することである。
【課題を解決するための手段】
【０００６】
本発明によれば、上記の目的は、ＯＰＣ手段が、ＯＰＣテストデータの書込みのために確保されたＯＰＣ領域がもはや使用不能である際、またはかかるＯＰＣ領域が記録担体上に付与されていない際に、上記のＯＰＣテストデータを、ユーザー領域内に書き込むようにされている記録装置を提供することにより、達成される。対応の記録方法は、請求項１３、１４および１５に規定されている。その記録方法をコンピュータに実装するためのコンピュータプログラムは、請求項１７に規定されている。
【０００７】
さらに、本発明は、ユーザー領域内にユーザーデータを記録可能な記録担体であって、ユーザーデータの記録が可能となる前に最適パワー較正（ＯＰＣ）を実行するため、当該記録担体上のユーザー領域内に書き込まれるＯＰＣテストデータを、格納する記録担体にも関するものである。
【０００８】
本発明は、ＯＰＣ領域が満杯であるか、何らかの他の理由により使用不能であるか、あるいは記録担体上に全く付与されてすらいない場合には、ユーザーデータを記憶するために意図されたユーザー領域を、ＯＰＣテストデータを書き込むためのオーバーフロー領域として利用できるという思想に基づいている。ＯＰＣ領域は、ＯＰＣテストデータの書込みのために特別に確保された領域であるので、このＯＰＣ領域をずっと小さくすること、あるいは完全に省略することすら可能となる。ユーザー領域は、ＯＰＣ領域が満杯であるか付与されていない場合において、ＯＰＣ手続きを実行するべくＯＰＣテストデータを書き込むための、十分なスペースを提供する。
【０００９】
本発明の好ましい実施形態は、従属請求項において規定されている。１つの好ましい実施形態では、ＯＰＣテストデータの書込みのために十分なスペースを有するユーザー領域内の領域を、探索する探索手段が設けられる。この形態は、単にユーザー領域内の任意の領域が使用されるのではなく、１回の連続した較正のためのＯＰＣテストデータ（すなわちユーザーデータが一切介在しないＯＰＣテストデータ）をすべて書き込むのに使用可能な、十分なスペースがある領域のみが使用されるという利点を有する。さらなる実施形態では、実際のユーザーデータとＯＰＣテストデータとの間のある種の保護領域としても十分なスペースが、ＯＰＣテストデータの書込後において使用可能となるような、領域が探索される。この保護領域は、ＯＰＣテストデータが、近隣領域内のユーザーデータに損傷を与える事態を回避するのに役立つ。
【００１０】
好ましくは、上記の探索手段は、ＯＰＣテストデータを書き込むため、少なくとも３つの連続するトラックを含むユーザー領域内の領域を、探索するようにされる。これは、一般的に、１回のＯＰＣ手続きのためのＯＰＣテストデータを書き込むのには、少なくとも１つのトラックが必要とされるためである。１つの好ましい実施形態では、上記の少なくとも３つの連続するトラックのうち、１つ以上の中心側のトラックが、ＯＰＣテストデータを書き込むために使用され、上記の少なくとも３つの連続するトラックのうち、外側のトラックが、ユーザー領域内の近隣トラック内に記録されたユーザーデータへの損傷を防止するための、安全領域（バッファ領域）として使用される。そのような安全領域が省略された場合、ＯＰＣ手続きにより近隣トラック内のユーザーデータが破壊されるかもしれないので、上記の形態は好ましい。加えて、近隣領域内のユーザーデータのクロストークは、ＯＰＣテストデータに影響を与えるかもしれない。好ましくは、ＯＰＣ手続きの間、安全領域（バッファ領域）内には、いかなる種類のデータも一切記録されない。ここで、ＯＰＣ手続きの中には、ディスクの全周回転を要さず、たとえば１つのＥＣＣクラスターの長さ分しか必要としないような手続きもある点に留意されたい。したがって、安全領域も、より小さく選択されてもよい。
【００１１】
さらなる有利な実施形態では、ＯＰＣ較正手続きによりＯＰＣテストパターンを記録するのに使用されたユーザー領域内の部分を、ユーザーデータの記録および／または読出しに使用不能な部分としてマーキングする、マーキング手段が設けられる。とりわけ、そのようなマーキング手段は、上記の部分を、不具合のある部分または無効なデータを含む部分としてマーキングするように設けられる。ＯＰＣテストデータは、通常、ユーザーデータのデータフォーマットに準拠しては書き込まれないので、この形態は、ドライブがＯＰＣテストデータを通常のユーザーデータであると想定して、ＯＰＣテストデータを再読出ししようとすることを防止する。
【００１２】
ここで、「ユーザーデータ」および「ユーザー領域」との語は、広義に理解されるべきである。たとえば、「ユーザー領域」は、不具合のあるクラスターを置き換えなくてはならないときに不具合管理システムが使用する予備領域も含む。本発明によれば、かかる領域も、通常のユーザーデータ領域と同様にして、ＯＰＣテストパターンを書き込むのに使用され得る。
【発明を実施するための最良の形態】
【００１３】
以下、図面を参照しながら、本発明をより詳細に説明する。
【００１４】
図１は、本発明に従う記録装置１の実施形態を概略的に示している。この記録装置１は、記録可能型または書換可能型のＣＤ、ＤＶＤまたはＢＤディスクといった光記録担体４にユーザーデータを記録するための記録ユニット２と、最適パワー較正を実行するためのＯＰＣ手段３とを含んでいる。ＯＰＣ手段３は、記録担体４上にＯＰＣテストデータを記録するＯＰＣ記録ユニット３１と、記録されたＯＰＣテストデータを読み出す読出ユニット３２とを含んでいる。読み出されたＯＰＣテストデータは、その後記録ユニット２によるユーザーデータの記録に用いられる書込パワーを最適化するために、分析される。最適パワー較正を実行するための方法は、当業者に広く知られているので、ここではさらに詳細な説明は行わない。たとえば、欧州特許出願公開ＥＰ１１２８３７３Ａ２号や米国特許ＵＳ６０５２３４７号に、ＯＰＣの目的のために特に割り当てられたＯＰＣ領域内にＯＰＣテストデータが書き込まれる形態の、最適パワー較正方法が記載されている。ここで、ユーザーデータを記録するための記録ユニット２と、ＯＰＣ記録ユニット３２とは、図１では別個のブロックとして示されているが、これらのユニットは、たとえばレーザービームを発生させるためのレーザー源や、レーザービームを記録担体上に集光させるためのレンズといった、いくらかのハードウェア（図１の概略ブロック図には図示せず）を共通にするものであってもよい。
【００１５】
ＯＰＣ領域が満杯であるか他の何らかの理由（たとえばＯＰＣ領域に不具合があるとき）により使用不能であるときに、記録担体４上にそれ以上のユーザーデータを記録することができなくなってしまう、または、ＯＰＣ領域を比較的大きく選択しなくてはならないという、上記で述べた問題を回避するために、本発明に従うＯＰＣ手段３は、探索手段３３をさらに含んでいる。この探索手段３３は、最適パワー較正手続きを１回実行するためのテストデータを書き込むのに十分なスペースが利用可能であるような、記録担体４のユーザー領域内の領域を探索する。たとえば、探索手段３３は、少なくとも３つの連続したトラックが利用可能な領域を探索し得る。その場合、中心側のトラックは、１回の実行のためのＯＰＣテストデータを書き込むために用いられ、より外側のトラックは、ＯＰＣテストデータと、近隣トラック内のユーザーデータとの間のバッファとしての役割を果たす。近隣トラック内に以前に記録されたユーザーデータはＯＰＣ手続きにより損傷を受けるおそれがあるため、この形態は有利である。このような、ユーザー領域内における十分なスペースの探索は、ＯＰＣテストデータが実際に書き込まれる前に、毎回実行される。
【００１６】
次のステップでは、ＯＰＣ手続きが実際に実行される。この手続中では、特別なＯＰＣテストデータが書き込まれる。このステップは、広く知られているものである。
【００１７】
ＯＰＣテストデータは、一般的にはユーザーデータのデータフォーマットには準拠していないので、ドライブは、それを通常のユーザーデータであると想定して、データを再読出ししようとするべきではない。したがって、ＯＰＣ手段３は、上記に加えて、ＯＰＣテストデータが書き込まれた領域をマーキングするための、マーキング手段３４を含んでいる。ＯＰＣテストデータが書き込まれたこの領域は、たとえば、ファイルシステムにより、無効なデータを有する領域としてマーキングされてもよいし、あるいは、不具合管理システムにより、不具合のある（すなわち使用不能な）領域としてマーキングされてもよい。
【００１８】
このことは、リードイン領域ＬＩと、ユーザー領域ＵＡと、リードアウト領域ＬＯとを含む、記録担体４の物理的なレイアウトを示した図２にも図示されている。一般的には、すべてのＯＰＣ手続きのテストデータを書き込むため、リードイン領域ＬＩ内にＯＰＣ領域４０が付与される。しかしながら、このＯＰＣ領域４０が満杯であるか、何らかの他の理由により使用不能であるか、あるいは記録担体上に全く付与されてすらいない場合には、たとえユーザー領域ＵＡ内に利用可能なスペースが十分あっても、それ以上のユーザーデータをユーザー領域ＵＡに書き込むことはできない。本発明によれば、その場合、ＯＰＣテストデータは、ユーザー領域ＵＡ内に書き込まれる。１つの実施形態では、ＯＰＣテストデータは、１回のＯＰＣ手続きのためのＯＰＣテストデータのすべてを書き込むのに十分なスペースを有する、動的に選択されたＯＰＣ領域４１、４２に書き込まれる。好ましくは、これらの動的に選択されたＯＰＣ領域４１、４２は、近隣トラック内に記録されたユーザーデータからＯＰＣテストデータを分離するバッファとしての役割を果たす、追加の保護領域のための十分なスペースも有するべきである。
【００１９】
かかる動的なＯＰＣ領域４１、４２に書き込まれたＯＰＣテストデータが、誤ってユーザーデータと解釈されることを防止するため、これらのＯＰＣテストデータは、ファイルシステム内で無効なデータとしてマーキングされるか、不具合管理システム内で不具合のある領域としてマーキングされることが好ましい。後者の例として、記録担体のリードイン領域ＬＩ内に付与される不具合管理テーブル４３内で、マーキングがなされてもよい。
【００２０】
好ましくは、動的なＯＰＣ領域４１、４２は、不具合を含むために使用できない領域と、ＯＰＣテストデータを含むために使用できない領域とを、ドライブが区別できるようにマーキングされるべきである。そうしないと、低層レベルにおいてディスクを分析する特別なソフトウェアプログラムを用いてディスクを走査しているユーザーは、単にユーザー領域内でＯＰＣ手続きが実行されたために、実際にはディスクは完全であるかもしれないにもかかわらず、ディスクに不具合があり信頼性がないと考えてしまうかもしれない。ここで、バッファとしての役割を果たす保護領域も、上記のようにマーキングされてもよい点に留意されたい。
【００２１】
全般的に、ＯＰＣテストデータ用に利用される領域は、ＯＰＣ手続きが実行される時点において、たとえば不具合管理システムによりマーキングされる。あるいは、前もって、すなわち一切のＯＰＣ手続きが実行される前に、ユーザー領域内のＯＰＣ領域が確保されてもよい。こうすることにより、不具合管理システムによるマーキングを通じて、ユーザー領域内に新たなＯＰＣ領域が生成される。
【００２２】
ここで、探索手段が十分なスペースの探索を開始する好ましい位置は、以前に少なくとも１回のＯＰＣ手続きがユーザー領域内ですでに実行されている場合には、以前のＯＰＣ手続きのＯＰＣテストデータが書き込まれた位置である点に留意されたい。
【図面の簡単な説明】
【００２３】
【図１】本発明に従う記録装置のブロック図
【図２】本発明に従う記録担体の物理的なレイアウトを示した図
【図１】
2008507073.tif 000003
【図２】
2008507073.tif 000004
【国際調査報告】
2008507073.tif 000005
2008507073.tif 000006
2008507073.tif 000007